(57)【特許請求の範囲】
【請求項１】
配信データを記憶する管理サーバーと前記配信データの提供元の提供サーバーと前記配信データを印刷する画像形成装置とが通信可能にされた配信データ管理システムであって、
前記配信データは、当該配信データを印刷可能な回数を示す制限回数と、当該配信データの提供元の前記提供サーバーとの通信に必要なリンク情報と、を含み、
前記提供サーバーは、
前記配信データに含まれている前記制限回数を所定回数増加するためのプログラムの購入指示を受信した場合、当該プログラムの購入に必要な注文情報が入力可能な注文画面を示す注文画面情報を返信する受注部と、
前記注文情報が返信された場合、当該返信された前記注文情報を用いて前記プログラムの所定の購入処理を実行後、前記プログラムを返信する提供部と、を備え、
前記画像形成装置は、
前記管理サーバーに記憶されている前記配信データを取得する取得部と、
前記取得部により取得された前記配信データの印刷を行う印刷部と、
前記取得部により取得された前記配信データに含まれている前記制限回数を増加するための前記プログラムの購入指示の入力を受け付け、当該受け付けた購入指示を、当該配信データに含まれている前記リンク情報を用いて前記提供サーバーへ送信する指示受付部と、
前記提供サーバーにより返信された前記注文画面情報が示す前記注文画面を用いた前記注文情報の入力を受け付け、当該受け付けた前記注文情報を当該提供サーバーに返信する注文受付部と、
前記提供サーバーにより返信された前記プログラムを用いて、前記取得部により取得された前記配信データに含まれている前記制限回数を前記所定回数増加し、当該制限回数を増加した後の前記配信データを前記管理サーバーに送信する増加部と、を備え、
前記管理サーバーは、
前記増加部により送信された前記配信データによって、当該管理サーバーが記憶している、当該配信データと同じ前記配信データを更新する更新部を備える配信データ管理システム。
【請求項２】
前記画像形成装置は、
前記印刷部により前記配信データの印刷が行われた回数を前記管理サーバーに送信する回数通知部を更に備え、
前記管理サーバーは、
前記回数通知部から前記配信データの印刷が行われた回数を受信した場合に、当該管理サーバーが記憶している、当該配信データと同じ前記配信データに含まれている前記制限回数を当該受信した回数減少する減少部を備える請求項１に記載の配信データ管理システム。
【請求項３】
前記配信データ管理システムには、更に端末装置が通信可能に接続され、
前記端末装置は、
前記管理サーバーに記憶されている前記配信データを取得する端末側取得部と、
前記端末側取得部により取得された前記配信データに含まれている前記制限回数を増加するための前記プログラムの購入指示の入力を受け付け、当該受け付けた購入指示を当該配信データに含まれる前記リンク情報とともに、前記画像形成装置へ送信する端末側指示受付部と、を備え、
前記指示受付部は、前記端末装置から前記プログラムの購入指示と前記リンク情報とを受信した場合に、当該受信した購入指示を、当該受信したリンク情報を用いて前記提供サーバーへ送信する転送処理を実行し、
前記注文受付部は、前記指示受付部が前記転送処理を実行した場合に、前記提供サーバーにより返信された前記注文画面情報を前記端末装置に返信し、
前記端末装置は、
前記画像形成装置により返信された前記注文画面情報が示す前記注文画面を用いた前記注文情報の入力を受け付け、当該受け付けた前記注文情報を前記画像形成装置に返信する端末側注文受付部を更に備え、
前記注文受付部は、前記指示受付部が前記転送処理を実行した場合、前記端末装置により返信された前記注文情報を前記提供サーバーに返信する請求項１又は２に記載の配信データ管理システム。
【請求項４】
前記注文情報には、前記プログラムを購入するユーザーの個人情報が含まれ、
前記画像形成装置は、記憶部を更に備え、
前記注文受付部は、前記注文情報を前記提供サーバーへ返信する前に、前記注文情報を前記記憶部に記憶し、前記プログラムが返信された場合は、前記記憶部に記憶された前記個人情報を削除する請求項１から３の何れか一項に記載の配信データ管理システム。
【発明の詳細な説明】
【技術分野】
【０００１】
本発明は、配信データ管理システムに関し、特に、配信データを印刷可能な回数を更新する技術に関する。
【背景技術】
【０００２】
従来から、技術文書や技術図面等のコンテンツデータ（以下、配信データと記載する）を配信するコンテンツサーバー（以下、配信サーバーと記載する）と画像形成装置とをネットワークに接続し、配信サーバーから配信された配信データを画像形成装置において印刷する配信データ管理システムが知られている。また、下記特許文献１に記載されているように、このような配信データ管理システムにおいて、配信データの印刷回数を所定回数に制限する技術が知られている。
【先行技術文献】
【特許文献】
【０００３】
【特許文献１】特開２０１１−４９８１１号公報
【発明の概要】
【発明が解決しようとする課題】
【０００４】
しかし、上記従来技術では、配信データの印刷回数が所定回数に達すると、これ以降配信データの印刷ができなくなる。このため、当該配信データを更に印刷するためには、当該配信データの提供元のコンテンツプロバイダーから印刷回数が所定回数に達していない配信データを再購入し、当該再購入した配信データを配信サーバーに記憶し直す手間が必要であった。
【０００５】
本発明は、上記の問題を解決するためになされたものであり、管理サーバーに記憶されている印刷可能な回数が制限されている配信データについて、当該配信データの印刷可能な回数を増加するために要する手間を軽減可能な配信データ管理システムを提供することを目的とする。
【課題を解決するための手段】
【０００６】
本発明による配信データ管理システムは、配信データを記憶する管理サーバーと前記配信データの提供元の提供サーバーと前記配信データを印刷する画像形成装置とが通信可能にされた配信データ管理システムであって、前記配信データは、当該配信データを印刷可能な回数を示す制限回数と、当該配信データの提供元の前記提供サーバーとの通信に必要なリンク情報と、を含み、前記提供サーバーは、前記配信データに含まれている前記制限回数を所定回数増加するためのプログラムの購入指示を受信した場合、当該プログラムの購入に必要な注文情報が入力可能な注文画面を示す注文画面情報を返信する受注部と、前記注文情報が返信された場合、当該返信された前記注文情報を用いて前記プログラムの所定の購入処理を実行後、前記プログラムを返信する提供部と、を備え、前記画像形成装置は、前記管理サーバーに記憶されている前記配信データを取得する取得部と、前記取得部により取得された前記配信データの印刷を行う印刷部と、前記取得部により取得された前記配信データに含まれている前記制限回数を増加するための前記プログラムの購入指示の入力を受け付け、当該受け付けた購入指示を、当該配信データに含まれている前記リンク情報を用いて前記提供サーバーへ送信する指示受付部と、前記提供サーバーにより返信された前記注文画面情報が示す前記注文画面を用いた前記注文情報の入力を受け付け、当該受け付けた前記注文情報を当該提供サーバーに返信する注文受付部と、前記提供サーバーにより返信された前記プログラムを用いて、前記取得部により取得された前記配信データに含まれている前記制限回数を前記所定回数増加し、当該制限回数を増加した後の前記配信データを前記管理サーバーに送信する増加部と、を備え、前記管理サーバーは、前記増加部により送信された前記配信データによって、当該管理サーバーが記憶している、当該配信データと同じ前記配信データを更新する更新部を備える。
【０００７】
本構成によれば、ユーザーは、画像形成装置において、管理サーバーに記憶されている配信データを取得する操作を行った後、当該配信データに含まれている制限回数を増加するためのプログラムの購入指示を入力する操作を行うだけで、その後何ら操作しなくても、提供サーバーから返信された注文画面情報が示す注文画面を用いて、当該プログラムの購入に必要な注文情報を入力する操作を行うことができる。
【０００８】
また、ユーザーは、上記注文画面を用いて注文情報を入力する操作を行うだけで、その後何ら操作しなくても、提供サーバーから上記プログラムを購入することができ、且つ、増加部に、当該購入したプログラムを用いて管理サーバーに記憶されている、上記取得した配信データと同じ配信データに含まれる制限回数を増加させることができる。
【０００９】
従来、ユーザーは、管理サーバーに記憶されている、印刷可能な回数が制限されている配信データについて、当該配信データの印刷可能な回数を増加するためには、当該配信データの提供元のプロバイダーから、印刷可能な回数が当該配信データよりも大きい、当該配信データと同じ配信データを再購入するための所定の購入手続きを行った後、更に、当該再購入した配信データを管理サーバーに記憶し直すという手間をかけなければならなかった。
【００１０】
しかし、本構成によれば、上述のように、ユーザーは、画像形成装置において、プログラムの購入指示を入力する操作と注文情報を入力する操作と、を行うだけで、管理サーバーに記憶されている配信データの印刷可能な回数を増加することができる。このように、本構成によれば、従来に比して、印刷可能な回数が制限されている配信データについて、当該配信データの印刷可能な回数を増加するために要する手間を軽減することができる。
【００１１】
また、前記画像形成装置は、前記印刷部により前記配信データの印刷が行われた回数を前記管理サーバーに送信する回数通知部を更に備え、前記管理サーバーは、前記回数通知部から前記配信データの印刷が行われた回数を受信した場合に、当該管理サーバーが記憶している、当該配信データと同じ前記配信データに含まれている前記制限回数を当該受信した回数減少する減少部を備えてもよい。
【００１２】
また、本構成によれば、配信データに含まれている制限回数を、印刷部によって当該配信データの印刷が行われた回数減少することができる。これにより、配信データが不用意に印刷される虞を軽減することができる。
【００１３】
また、前記配信データ管理システムには、更に端末装置が通信可能に接続され、前記端末装置は、前記管理サーバーに記憶されている前記配信データを取得する端末側取得部と、前記端末側取得部により取得された前記配信データに含まれている前記制限回数を増加するための前記プログラムの購入指示の入力を受け付け、当該受け付けた購入指示を当該配信データに含まれる前記リンク情報とともに、前記画像形成装置へ送信する端末側指示受付部と、を備え、前記指示受付部は、前記端末装置から前記プログラムの購入指示と前記リンク情報とを受信した場合に、当該受信した購入指示を、当該受信したリンク情報を用いて前記提供サーバーへ送信する転送処理を実行し、前記注文受付部は、前記指示受付部が前記転送処理を実行した場合に、前記提供サーバーにより返信された前記注文画面情報を前記端末装置に返信し、前記端末装置は、前記画像形成装置により返信された前記注文画面情報が示す前記注文画面を用いた前記注文情報の入力を受け付け、当該受け付けた前記注文情報を前記画像形成装置に返信する端末側注文受付部を更に備え、前記注文受付部は、前記指示受付部が前記転送処理を実行した場合、前記端末装置により返信された前記注文情報を前記提供サーバーに返信してもよい。
【００１４】
本構成によれば、ユーザーは、端末装置において、管理サーバーに記憶されている配信データを取得する操作を行った後、当該配信データに含まれている制限回数を増加するためのプログラムの購入指示を入力する操作を行うだけで、その後何ら操作しなくても、提供サーバーから返信された注文画面情報が示す注文画面を用いて、当該プログラムの購入に必要な注文情報を入力する操作を行うことができる。
【００１５】
また、ユーザーは、上記注文画面を用いて注文情報を入力する操作を行うだけで、その後何ら操作しなくても、提供サーバーから上記プログラムを購入することができ、且つ、増加部に、当該購入したプログラムを用いて管理サーバーに記憶されている、上記取得した配信データと同じ配信データに含まれる制限回数を増加させることができる。
【００１６】
従来、ユーザーは、管理サーバーに記憶されている、印刷可能な回数が制限されている配信データについて、当該配信データの印刷可能な回数を増加するためには、当該配信データの提供元のプロバイダーから、印刷可能な回数が当該配信データよりも大きい、当該配信データと同じ配信データを再購入するための所定の購入手続きを行った後、更に、当該再購入した配信データを管理サーバーに記憶し直すという手間をかけなければならなかった。
【００１７】
しかし、本構成によれば、上述のように、ユーザーは、端末装置において、プログラムの購入指示を入力する操作と注文情報を入力する操作と、を行うだけで、管理サーバーに記憶されている配信データの印刷可能な回数を増加することができる。このように、本構成によれば、従来に比して、印刷可能な回数が制限されている配信データについて、当該配信データの印刷可能な回数を増加するために要する手間を軽減することができる。
【００１８】
また、前記注文情報には、前記プログラムを購入するユーザーの個人情報が含まれ、前記画像形成装置は、記憶部を更に備え、前記注文受付部は、前記注文情報を前記提供サーバーへ返信する前に、前記注文情報を前記記憶部に記憶し、前記プログラムが返信された場合は、前記記憶部に記憶された前記個人情報を削除してもよい。
【００１９】
本構成によれば、プログラムが画像形成装置に返信され、プログラムの購入のために必要であった個人情報が不要になった後、当該個人情報が記憶部に残存する虞を軽減することができる。これにより、個人情報が漏洩するリスクを軽減することができる。
【発明の効果】
【００２０】
この発明によれば、管理サーバーに記憶されている印刷可能な回数が制限されている配信データについて、当該配信データの印刷可能な回数を増加するために要する手間を軽減可能な配信データ管理システムを提供することができる。
【図面の簡単な説明】
【００２１】
【図１】本発明の一実施形態に係る配信データ管理システムの概略構成図である。
【図２】本発明の一実施形態に係る管理サーバーに記憶されている本発明の一実施形態に係る配信データの一例を示す図である。
【図３】本発明の一実施形態に係るプログラムの販売価格及び購入条件の一例を示す図である。
【図４】本発明の一実施形態に係る注文画面を示す図である。
【図５】配信データを取得する動作を示すフローチャートである。
【図６】配信データを印刷する動作を示すフローチャートである。
【図７】配信データに含まれている制限回数を増加する動作の前半の動作を示すフローチャートである。
【図８】配信データに含まれている制限回数を増加する動作の後半の動作を示すフローチャートである。
【発明を実施するための形態】
【００２２】
以下、本発明に係る配信データ管理システムの一実施形態を図面に基づいて説明する。図１は、本発明の一実施形態に係る配信データ管理システム９の概略構成図である。
【００２３】
図１に示すように、配信データ管理システム９は、技術文書や技術図面等のコンテンツを表すコンテンツデータ（配信データ）を記憶するコンテンツサーバー１（管理サーバー）、コンテンツデータの提供元のプロバイダーサーバー２（提供サーバー）、複合機３（画像形成装置）、及びパーソナルコンピューター４（端末装置）を備えている。以下、パーソナルコンピューター４をＰＣ４と略記する。
【００２４】
コンテンツサーバー１、プロバイダーサーバー２、複合機３及びＰＣ４は、ＬＡＮ（Ｌｏｃａｌ  Ａｒｅａ  Ｎｅｔｗｏｒｋ）やインターネット等のネットワーク９０を介して通信可能に構成されている。
【００２５】
以下、コンテンツサーバー１、プロバイダーサーバー２、複合機３及びＰＣ４において、コンテンツデータに関連する構成について詳述する。
【００２６】
コンテンツサーバー１は、記憶部１２、通信部１１及び制御部１０を備えている。
【００２７】
記憶部１２は、ＨＤＤ（Ｈａｒｄ  Ｄｉｓｋ  Ｄｒｉｖｅ）等からなる。記憶部１２には、コンテンツサーバー１内の各部の動作制御を行うための制御プログラムが記憶されている。また、記憶部１２には、ユーザーが所定の購入手続きを行ってプロバイダーサーバー２を有するコンテンツプロバイダーから購入したコンテンツデータが記憶されている。
【００２８】
コンテンツプロバイダーは、例えば、購入されたコンテンツデータをＤＶＤ等の記憶媒体に記憶して購入者に配布する、或いは、購入されたコンテンツデータをプロバイダーサーバー２を用いて購入者にダウンロードさせる等の方法で、購入されたコンテンツデータを購入者に提供する。コンテンツプロバイダーによるコンテンツデータの提供方法は、これらに限らず、他の周知の提供方法であってもよい。
【００２９】
図２は、コンテンツサーバー１に記憶されているコンテンツデータの一例を示す図である。図２に示すように、記憶部１２には、コンテンツデータを識別するためのデータＩＤとコンテンツデータとが対応付けて記憶されている。コンテンツデータを記憶部１２に記憶する操作は、配信データ管理システム９の管理者やコンテンツデータの購入者等のユーザーによるコンテンツサーバー１に設けられた図略の操作部の操作によって行われる。
【００３０】
コンテンツデータには、技術文書や技術図面等のコンテンツを識別するためのコンテンツＩＤと、当該コンテンツを表すバイナリデータと、当該コンテンツを印刷可能な回数である制限回数と、当該コンテンツデータの提供元のプロバイダーサーバー２との通信に必要なリンク情報と、が含まれている。以下では、コンテンツデータに含まれているコンテンツＩＤによって識別されるコンテンツを印刷することを、コンテンツデータを印刷すると略記する。
【００３１】
リンク情報には、コンテンツデータの提供元のプロバイダーサーバー２が提供する印刷回数増加サービスを示すＵＲＬや、購入者ＩＤ及びパスワードが含まれている。購入者ＩＤ及びパスワードは、プロバイダーサーバー２からコンテンツデータを購入した購入者を識別するためのＩＤ及びパスワードである。
【００３２】
印刷回数増加サービスは、購入者ＩＤ及びパスワードによって識別されるユーザーがネットワーク９０を介してプロバイダーサーバー２と通信を行うことにより利用可能なＷｅｂサービスである。印刷回数増加サービスは、コンテンツデータに含まれている制限回数を所定回数増加するための更新プログラム（プログラム）を販売するＷｅｂサービスである。印刷回数増加サービスの詳細については後述する。
【００３３】
例えば、図２は、コンテンツＩＤ「Ｃ１１」と、コンテンツＩＤ「Ｃ１１」によって識別されるコンテンツを表すバイナリデータ、制限回数「ＬＡ１１」、及びＵＲＬ「ｈｔｔｐ：／／ｘｘｘ．ｘｘｘ．ｘｘｘ．ｘｘ１／ｓｅｒｖｉｃｅ」と購入者ＩＤ「ｕｓｅｒＡ」とパスワード「＊＊＊＊＊＊＊＊」とを含むリンク情報を含むコンテンツデータが、データＩＤ「Ｄ１」と対応付けて記憶部１２に記憶されていることを示している。
【００３４】
また、図２は、コンテンツＩＤ「Ｃ１１」と、コンテンツＩＤ「Ｃ１１」によって識別されるコンテンツを表すバイナリデータ、制限回数「ＬＢ１１」、及びＵＲＬ「ｈｔｔｐ：／／ｘｘｘ．ｘｘｘ．ｘｘｘ．ｘｘ１／ｓｅｒｖｉｃｅ」と購入者ＩＤ「ｕｓｅｒＢ」とパスワード「＊＊＊＊＊＊＊＊」とを含むリンク情報を含むコンテンツデータが、データＩＤ「Ｄ２」と対応付けて記憶部１２に記憶されていることを示している。
【００３５】
このように、データＩＤ「Ｄ１」に対応するコンテンツデータ及びデータＩＤ「Ｄ２」に対応するコンテンツデータは、同じコンテンツＩＤ「Ｃ１１」で識別されるコンテンツを表すバイナリデータを含んでいる。しかし、それぞれ異なる購入者によって購入されたため、それぞれ異なるデータＩＤと対応付けて記憶部１２に記憶されている。以下では、コンテンツを表すバイナリデータをコンテンツバイナリデータと記載する。
【００３６】
また、記憶部１２には、コンテンツデータに含まれる制限回数を指定された回数減少するための回数制限プログラムが記憶されている。回数制限プログラムは、コンテンツプロバイダーからコンテンツデータの提供時に提供される。
【００３７】
通信部１１は、ネットワーク９０を介してプロバイダーサーバー２、複合機３及びＰＣ４との間で通信を行うときに用いられる通信インターフェイス回路である。
【００３８】
制御部１０は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）及びこれらの周辺回路等を備え、コンテンツサーバー１内の各部の動作制御を行う。
【００３９】
制御部１０は、記憶部１２に記憶されている制御プログラムをＣＰＵに実行させることにより、配信部１０１、減少部１０２、及び更新部１０３として機能する。
【００４０】
配信部１０１は、複合機３及びＰＣ４から要求されたコンテンツデータを記憶部１２から取得し、当該取得したコンテンツデータを要求元の複合機３又はＰＣ４へ返信する。
【００４１】
具体的には、通信部１１により、コンテンツデータの一覧の送信要求を示す一覧送信要求情報が受信されると、配信部１０１は、通信部１１を用いて、記憶部１２に記憶されているデータＩＤの一覧と、各データＩＤに対応付けられたコンテンツデータに含まれるコンテンツＩＤ及び購入者ＩＤと、を対応付けたコンテンツ一覧情報を返信する。
【００４２】
また、通信部１１により、コンテンツデータの送信要求を示す送信要求情報が受信されると、配信部１０１は、当該受信された送信要求情報に含まれているデータＩＤと対応付けて記憶部１２に記憶されているコンテンツデータを取得する。そして、配信部１０１は、通信部１１を用いて、当該取得したコンテンツデータを返信する。
【００４３】
減少部１０２は、配信部１０１により配信されたコンテンツデータが複合機３において印刷された場合に、記憶部１２に記憶されている、当該配信されたコンテンツデータと同じコンテンツデータに含まれている制限回数を、当該配信されたコンテンツデータが印刷された回数減少する。
【００４４】
具体的には、配信部１０１により配信されたデータＩＤ「Ｄ１」に対応するコンテンツデータが複合機３において印刷されたとする。この場合、後述するように、通信部１１は、後述の回数通知部３０５により送信された後述の印刷結果情報を受信する。印刷結果情報には、印刷されたコンテンツデータに対応するデータＩＤと、当該コンテンツデータの印刷が行われた回数が含まれている。
【００４５】
この場合、減少部１０２は、当該受信された印刷結果情報に含まれているデータＩＤ「Ｄ１」と対応付けて記憶部１２に記憶されているコンテンツデータを取得する。また、減少部１０２は、当該コンテンツデータに含まれている制限回数を減少させるための回数制限プログラムを記憶部１２から取得する。そして、減少部１０２は、当該取得した回数制限プログラムをＣＰＵに実行させることにより、当該取得したコンテンツデータに含まれている制限回数を、当該受信された印刷結果情報に含まれている回数減少する。
【００４６】
更新部１０３は、複合機３により送信されたコンテンツデータによって、記憶部１２に記憶されている、当該送信されたコンテンツデータと同じコンテンツデータを更新する。
【００４７】
具体的には、通信部１１が、複合機３により送信された、コンテンツデータの更新要求を示す更新要求情報を受信したとする。更新要求情報には、データＩＤとコンテンツデータとが含まれている。
【００４８】
この場合、更新部１０３は、当該更新要求情報に含まれているデータＩＤと対応付けて記憶部１２に記憶されているコンテンツデータを、当該更新要求情報に含まれているコンテンツデータによって更新する。
【００４９】
次に、プロバイダーサーバー２の構成について説明する。プロバイダーサーバー２は、記憶部２２、通信部２１及び制御部２０を備えている。
【００５０】
記憶部２２は、ＨＤＤ等からなる。記憶部２２には、プロバイダーサーバー２内の各部の動作制御を行うための制御プログラムや、印刷回数増加サービスを行うためのアプリケーションプログラム等が記憶されている。
【００５１】
また、記憶部２２には、コンテンツデータの購入者がコンテンツデータの所定の購入手続き時に入力した、購入者を識別するための購入者ＩＤ及びパスワードが、当該コンテンツデータに含まれるコンテンツＩＤと対応付けて記憶されている。
【００５２】
また、記憶部２２には、当該プロバイダーサーバー２が提供するコンテンツデータに含まれている制限回数を所定回数増加する更新プログラム（プログラム）や、当該更新プログラムの販売価格及び購入条件が記憶されている。
【００５３】
図３は、本発明の一実施形態に係る更新プログラムの販売価格及び購入条件の一例を示す図である。例えば、記憶部２２には、図３に示すように、コンテンツＩＤ「Ｃ１１」を含むコンテンツデータに含まれている制限回数を１回増加するための更新プログラムの販売価格「１０円」が記憶されている。同様に、制限回数を５回増加するための更新プログラムの販売価格「４０円」が記憶され、制限回数を１０回増加するための更新プログラムの販売価格「８０円」が記憶され、制限回数を２０回増加するための更新プログラムの販売価格「１６０円」が記憶されている。
【００５４】
また、図３において図示していないが、記憶部２２には、制限回数を１、５、１０、２０回増加するための四個の更新プログラムが記憶されている。
【００５５】
また、記憶部２２には、制限回数を１、５、１０、２０回増加するための更新プログラムを購入するための購入条件として、購入条件「ＹＹＹＹ年ＭＭ月ＤＤ日まで購入可」が記憶されている。つまり、コンテンツＩＤ「Ｃ１１」を含むコンテンツデータに含まれている制限回数を１、５、１０、２０回増加するための更新プログラムは、ＹＹＹＹ年ＭＭ月ＤＤ日まで購入可能となっている。
【００５６】
通信部２１は、ネットワーク９０を介してコンテンツサーバー１、複合機３及びＰＣ４との間で通信を行うときに用いられる通信インターフェイス回路である。
【００５７】
制御部２０は、ＣＰＵ、ＲＡＭ、ＲＯＭ及びこれらの周辺回路等を備え、記憶部２２に記憶されている制御プログラムをＣＰＵに実行させることにより、プロバイダーサーバー２内の各部の動作制御を行う。
【００５８】
また、制御部２０は、記憶部２２に記憶されている印刷回数増加サービスを行うためのアプリケーションプログラムをＣＰＵに実行させることにより、印刷回数増加サービスとして機能する。印刷回数増加サービスは、受注部２０１及び提供部２０２として機能する。
【００５９】
受注部２０１は、通信部２１がコンテンツデータに含まれている制限回数を所定回数増加するための更新プログラムの購入指示を示す購入指示情報を受信した場合、注文画面情報を返信する。注文画面情報とは、更新プログラムの購入に必要な注文情報が入力可能な注文画面を示す情報である。
【００６０】
具体的には、複合機３では、後述のように、コンテンツデータに含まれているリンク情報内のＵＲＬが示す印刷回数増加サービスを宛先とし、当該リンク情報内の購入者ＩＤ及びパスワードと共に、更新プログラムの購入指示を示す購入指示情報が送信される。購入指示情報には、コンテンツデータに含まれているコンテンツＩＤが含まれている。
【００６１】
これにより、通信部２１により、当該購入者ＩＤ及びパスワードと当該購入指示情報とが受信されると、受注部２０１は、通信部２１により受信された購入者ＩＤ及びパスワードが、当該受信された購入指示情報に含まれているコンテンツＩＤと対応付けて記憶部２２に記憶されているか否かを判定する。受注部２０１は、当該判定結果に応じて、当該購入者ＩＤ及びパスワードで識別されるユーザーが印刷回数増加サービスを利用可能なユーザーであるか否かを認証する。
【００６２】
受注部２０１は、当該購入者ＩＤ及びパスワードで識別されるユーザーが印刷回数増加サービスを利用可能なユーザーであると認証したとする。この場合、受注部２０１は、当該受信された購入指示情報に含まれているコンテンツＩＤと対応付けて記憶部２２に記憶されている、各更新プログラムの販売価格や購入条件等の情報（図３）を取得する。
【００６３】
そして、受注部２０１は、当該取得した各更新プログラムの販売価格や購入条件等の情報を用いて注文画面情報を生成する。そして、受注部２０１は、通信部２１を用いて、当該生成した注文画面情報を複合機３へ返信する。
【００６４】
図４は、本発明の一実施形態に係る注文画面Ｗを示す図である。例えば、通信部２１によりコンテンツＩＤ「Ｃ１１」を含む購入指示情報が受信され、また、受注部２０１は、通信部２１により受信された購入者ＩＤ及びパスワードで識別されるユーザーが、印刷回数増加サービスを利用可能なユーザーであると認証したとする。
【００６５】
この場合、受注部２０１は、図３に示すように、コンテンツＩＤ「Ｃ１１」と対応付けて記憶部２２に記憶されている情報を用いて、図４に示す注文画面Ｗを示すＨＴＭＬ形式の文字列情報を生成し、当該文字列情報を注文画面情報として返信する。
【００６６】
例えば、受注部２０１は、記憶部２２に記憶されている、コンテンツＩＤ「Ｃ１１」を含むコンテンツデータに含まれている制限回数を増加するための、四個の更新プログラムの販売価格Ｍ及び購入条件Ｃを表示するように注文画面Ｗを構成する。また、受注部２０１は、注文情報として、購入対象の更新プログラム及び更新プログラムの購入代金の支払方法が入力可能なように注文画面Ｗを構成する。
【００６７】
具体的には、図４に示すように、注文画面Ｗには、コンテンツＩＤ「Ｃ１１」を含むコンテンツデータの制限回数を１、５、１０、２０回増加するための四個の更新プログラムそれぞれの販売価格Ｍ「１０円」「４０円」「８０円」「１６０円」が表示される。また、注文画面Ｗには、当該四個の更新プログラムの購入条件Ｃ「ＹＹＹＹ年ＭＭ月ＤＤ日まで購入可」が表示される。
【００６８】
また、注文画面Ｗには、上記四個の更新プログラムのそれぞれに対応付けられた四個のラジオボタンＲ１〜Ｒ４が表示される。例えば、ラジオボタンＲ１は、制限回数を１回増加するための更新プログラムと対応付けられている。四個のラジオボタンＲ１〜Ｒ４は、何れか一のラジオボタンのみが選択可能である。つまり、注文画面Ｗは、四個のラジオボタンＲ１〜Ｒ４のうち、何れか一のラジオボタンを選択することにより、当該選択されたラジオボタンに対応する更新プログラムを、購入する対象の更新プログラムとして入力可能に構成されている。
【００６９】
また、注文画面Ｗには、更新プログラムの購入代金の支払方法として、三個の支払方法「クレジットカード」「コインベンダー」「カードベンダー（プリペイドカード支払）」のそれぞれに対応する三個のラジオボタンＲ５〜Ｒ７が表示される。例えば、ラジオボタンＲ６は、支払方法「コインベンダー」と対応付けられている。三個のラジオボタンＲ５〜Ｒ７は、何れか一のラジオボタンのみが選択可能である。つまり、注文画面Ｗは、三個のラジオボタンＲ５〜Ｒ７のうち、何れか一のラジオボタンを選択することにより、当該選択されたラジオボタンに対応する支払方法を、更新プログラムの購入代金の支払方法として入力可能に構成されている。
【００７０】
また、注文画面Ｗは、ラジオボタンＲ５が選択されることにより、更新プログラムの購入代金の支払方法として支払方法「クレジットカード」が入力された場合には、支払方法「クレジットカード」の詳細な内容を示す三個の付加情報「カード番号」、「カード名義人」、「有効期限」（ユーザーの個人情報）を注文情報として入力可能に構成されている。
【００７１】
また、注文画面Ｗには、ＯＫボタンＢ１及び閉じるボタンＢ２が表示される。ＯＫボタンＢ１が操作された場合、注文画面Ｗを用いて入力された注文情報の内容が確定される。閉じるボタンＢ２が操作された場合、注文画面Ｗは表示されなくなり、入力された注文情報の内容はキャンセルされる（無効になる）。
【００７２】
次に、提供部２０２について説明する。受注部２０１による注文画面情報の返信後、当該注文画面情報が示す注文画面Ｗを用いて入力された注文情報が返信された場合、通信部２１は、当該返信された注文情報を受信する。この場合、提供部２０２は、当該受信された注文情報を用いて、当該受信された注文情報に含まれている購入対象の更新プログラムの所定の購入処理を実行する。購入処理には、例えば、受信された注文情報に含まれている更新プログラムの購入代金の支払方法に応じた周知の清算処理が含まれる。提供部２０２は、当該購入処理の実行後、当該注文情報に含まれている購入対象の更新プログラムを返信する。
【００７３】
次に、複合機３の構成について説明する。複合機３には、コインベンダー５及びカードベンダー６が接続されている。複合機３は、記憶部３５、通信部３４、操作部３３、画像読取部３２、画像形成部３１（印刷部）及び制御部３０を備えている。
【００７４】
コインベンダー５は、制御部３０により指定された金額に相当する硬貨及び／又は紙幣を徴収する周知の構成を有する。コインベンダー５は、指定された金額に相当する硬貨及び／又は紙幣の徴収が終了すると、制御部３０へ当該徴収が終了したことを通知する。
【００７５】
カードベンダー６は、プリペイドカードに書き込まれている金額を制御部３０により指定された金額減少することにより、指定された金額の料金を徴収する周知の構成を有する。カードベンダー６は、指定された金額の料金の徴収が終了すると、制御部３０へ当該減少が終了したことを通知する。
【００７６】
記憶部３５は、ＨＤＤ等からなる。記憶部３５には、複合機３内の各部の動作制御を行うための制御プログラムが記憶されている。また、記憶部３５には、後述の注文情報が一時的に記憶される。
【００７７】
通信部３４は、ネットワーク９０を介してコンテンツサーバー１、プロバイダーサーバー２及びＰＣ４との間で通信を行うときに用いられる通信インターフェイス回路である。
【００７８】
操作部３３は、ユーザーに複合機３の各種操作を行わせるために設けられている。具体的には、操作部３３は、図略のタッチパネル装置や操作キー等を備えている。
【００７９】
タッチパネル装置は、液晶ディスプレイ等の表示部を備えている。タッチパネル装置は、静電容量方式のタッチパネル機能を有している。タッチパネル機能とは、ユーザーが指やペン等の指示体を表示部に近づけたときに生じる静電容量の変化に基づいて、ユーザーが指示体を用いてタッチ操作した、表示部に表示されているソフトキー等の画面部品を検出する機能である。尚、タッチパネル機能は、静電容量方式に限らず、例えば、超音波方式や光学方式であってもよい。操作キーには、例えば、数値や記号を入力するためのテンキー等が含まれている。つまり、ユーザーは、表示部をタッチ操作する、或いは、操作キーを操作することにより、複合機３を操作することができる。
【００８０】
画像読取部３２は、図略のＣＣＤ（Ｃｈａｒｇｅ  Ｃｏｕｐｌｅｄ  Ｄｅｖｉｃｅ）ラインセンサーや露光ランプ等を有する図略の光学系ユニットを備えている。
【００８１】
画像読取部３２は、制御部３０による制御の下、画像読取処理を実行する。画像読取処理とは、光学系ユニットに原稿の画像を読み取らせることにより、原稿の画像を表す画像データを生成する処理である。
【００８２】
画像形成部３１は、感光体ドラム、帯電部、露光部、現像部、転写部、定着部、排出部等を備えた周知の構成を有する。画像形成部３１は、制御部３０による制御の下、印刷処理を実行する。印刷処理とは、画像読取部３２が生成した画像データが表す画像や、コンテンツデータに含まれているコンテンツバイナリデータが表すコンテンツを用紙に形成する処理である。
【００８３】
制御部３０は、ＣＰＵ、ＲＡＭ、ＲＯＭ及びこれらの周辺回路等を備え、記憶部３５に記憶されている制御プログラムをＣＰＵに実行させることにより、複合機３内の各部の動作制御を行う。
【００８４】
また、制御部３０は、記憶部３５に記憶されている制御プログラムをＣＰＵに実行させることにより、取得部３０１、指示受付部３０２、注文受付部３０３、増加部３０４、及び回数通知部３０５として機能する。
【００８５】
取得部３０１は、コンテンツサーバー１に記憶されているコンテンツデータを取得する。
【００８６】
具体的には、ユーザーによる操作部３３の操作により、コンテンツデータの取得指示が入力されると、取得部３０１は、一覧送信要求情報を通信部３４を用いてコンテンツサーバー１へ送信する。一覧送信要求情報の送信後、通信部３４によってコンテンツ一覧情報が受信されると、取得部３０１は、受信されたコンテンツ一覧情報に含まれている、データＩＤとコンテンツＩＤと購入者ＩＤとを対応付けて、操作部３３に備えられた表示部に一覧表示する。以下、操作部３３に備えられた表示部を単に表示部と記載する。
【００８７】
そして、ユーザーによる操作部３３の操作によって、表示部に表示された何れかのデータＩＤが選択されると、取得部３０１は、当該選択されたデータＩＤを含む送信要求情報を通信部３４を用いてコンテンツサーバー１へ送信する。その後、通信部３４によってコンテンツサーバー１から返信されたコンテンツデータが受信されると、取得部３０１は、当該受信されたコンテンツデータを取得する。
【００８８】
指示受付部３０２は、取得部３０１により取得されたコンテンツデータに含まれている制限回数を増加するための更新プログラムの購入指示の入力を受け付ける。この場合、指示受付部３０２は、当該受け付けた更新プログラムの購入指示を示す購入指示情報を、当該コンテンツデータに含まれているリンク情報を用いてプロバイダーサーバー２へ送信する。購入指示情報には、取得部３０１により取得されたコンテンツデータに対応するデータＩＤと、当該コンテンツデータに含まれているコンテンツＩＤと、が含まれる。
【００８９】
具体的には、指示受付部３０２は、更新プログラムの購入指示の入力を受け付けると、コンテンツデータに含まれているリンク情報内のＵＲＬが示す印刷回数増加サービスを宛先として、当該リンク情報内の購入者ＩＤ及びパスワードと共に購入指示情報を通信部３４を用いて送信する。
【００９０】
次に、注文受付部３０３について説明する。指示受付部３０２による購入者ＩＤ、パスワード及び購入指示情報の送信後、通信部３４がプロバイダーサーバー２の受注部２０１により返信された注文画面情報を受信したとする。
【００９１】
この場合、注文受付部３０３は、注文画面情報が示す注文画面Ｗを表示部に表示する。そして、ユーザーによる操作部３３の操作により、注文画面Ｗを用いて注文情報が入力され、注文情報の内容が確定されると、注文受付部３０３は、当該注文情報の入力を受け付ける。
【００９２】
例えば、注文受付部３０３が、通信部３４が受信した注文画面情報が示す、図４に示す注文画面Ｗを表示部に表示したとする。そして、ユーザーによる操作部３３の操作により、図４に示すように、ラジオボタンＲ３が選択され、ラジオボタンＲ６が選択された後、ＯＫボタンＢ１が操作されたとする。この場合、注文受付部３０３は、注文情報に含まれる購入する対象の更新プログラムとして、ラジオボタンＲ３に対応する制限回数を１０回増加する更新プログラムの入力を受け付ける。また、注文受付部３０３は、注文情報に含まれる更新プログラムの購入代金の支払方法として、ラジオボタンＲ６に対応する支払方法「コインベンダー」の入力を受け付ける。
【００９３】
そして、注文受付部３０３は、当該受け付けた注文情報を記憶部３５に記憶した後、通信部３４を用いて、当該受け付けた注文情報をプロバイダーサーバー２に返信する。言い換えれば、注文受付部３０３は、当該受け付けた注文情報をプロバイダーサーバー２へ返信する前に、当該受け付けた注文情報を記憶部３５に記憶する。
【００９４】
尚、注文受付部３０３は、当該受け付けた注文情報をプロバイダーサーバー２へ返信する場合に、ネットワーク９０に何らかの異常が発生し、プロバイダーサーバー２との通信が一時的に遮断されたときは、例えば異常発生から所定時間経過したとき等の所定の時期に、記憶部３５に記憶した注文情報を再送する。これにより、ユーザーに注文情報の入力を再び行わせる手間を軽減する。
【００９５】
また、注文受付部３０３は、受け付けた更新プログラムの購入代金の支払方法が「コインベンダー」である場合、注文画面に表示されている、受け付けた購入対象の更新プログラムの購入代金に相当する硬貨及び／又は紙幣をコインベンダー５に徴収させ、当該徴収が終了したことが通知された後に、受け付けた注文情報を返信する。
【００９６】
同様に、注文受付部３０３は、受け付けた更新プログラムの購入代金の支払方法が「カードベンダー」である場合、注文画面に表示されている、受け付けた購入対象の更新プログラムの購入代金が示す金額の料金をカードベンダー６に徴収させ、当該徴収が終了したことが通知された後に、受け付けた注文情報を返信する。
【００９７】
注文情報の返信後、通信部３４が、提供部２０２により返信された更新プログラムを受信した場合、注文受付部３０３は、記憶部３５に記憶した注文情報に、支払方法「クレジットカード」の三個の付加情報「カード番号」、「カード名義人」、「有効期限」が含まれているときは、当該三個の付加情報「カード番号」、「カード名義人」、「有効期限」を削除する。
【００９８】
次に増加部３０４について説明する。注文受付部３０３による注文情報の返信後、通信部３４が、提供部２０２により返信された更新プログラムを受信したとする。この場合、増加部３０４は、通信部３４により受信された更新プログラムを用いて、コンテンツサーバー１に記憶されている、取得部３０１により取得されたコンテンツデータと同じコンテンツデータに含まれている制限回数を所定回数増加する。
【００９９】
具体的には、増加部３０４は、指示受付部３０２が用いた購入指示情報に含まれているデータＩＤを含む送信要求情報をコンテンツサーバー１へ送信する。これに応じて、配信部１０１は、記憶部１２に記憶されている当該データＩＤに対応するコンテンツデータを返信する。つまり、配信部１０１は、コンテンツサーバー１に記憶されている、取得部３０１により取得されたコンテンツデータと同じコンテンツデータを返信する。
【０１００】
通信部３４により、当該返信されたコンテンツデータが受信されると、増加部３０４は、通信部３４により受信された更新プログラムを実行することにより、当該受信したコンテンツデータに含まれている制限回数を、当該更新プログラムに応じた所定回数増加する。例えば、増加部３０４が実行した更新プログラムが制限回数を１０回増加するための更新プログラムであった場合、制限回数は、当該更新プログラムに応じて１０回増加される。
【０１０１】
そして、増加部３０４は、当該制限回数を増加した後のコンテンツデータとデータＩＤとを含む更新要求情報をコンテンツサーバー１へ送信する。これに応じて、コンテンツサーバー１では、更新部１０３が、当該更新要求情報に含まれるデータＩＤと対応付けて記憶部１２に記憶されているコンテンツデータを、当該更新要求情報に含まれる制限回数を増加した後のコンテンツデータによって更新する。その結果、コンテンツサーバー１に記憶されている、取得部３０１により取得されたコンテンツデータと同じコンテンツデータに含まれている制限回数が所定回数増加される。
【０１０２】
回数通知部３０５は、通信部３４を用いて、画像形成部３１によりコンテンツデータの印刷が行われた回数と、当該コンテンツデータに対応するデータＩＤと、を含む印刷結果情報をコンテンツサーバー１に送信する。
【０１０３】
例えば、画像形成部３１が、コンテンツデータに含まれるコンテンツバイナリデータが表す画像を用紙に形成する印刷処理を二回行ったとする。この場合、回数通知部３０５は、通信部３４を用いて、画像形成部３１によりコンテンツデータの印刷が行われた回数「二回」と、当該コンテンツデータに対応するデータＩＤと、を含む印刷結果情報をコンテンツサーバー１に送信する。これに応じて、コンテンツサーバー１では、減少部１０２が、当該印刷結果情報に含まれているデータＩＤと対応付けて記憶部１２に記憶されているコンテンツデータに含まれている制限回数を、当該印刷結果情報に含まれている回数減少する。
【０１０４】
次に、ＰＣ４の構成について説明する。ＰＣ４は、記憶部４５、通信部４４、操作部４３及び制御部４０を備えている。
【０１０５】
記憶部４５は、ＨＤＤ等からなる。記憶部４５には、ＰＣ４内の各部の動作制御を行うための制御プログラムが記憶されている。
【０１０６】
通信部４４は、ネットワーク９０を介してコンテンツサーバー１、プロバイダーサーバー２及び複合機３との間で通信を行うときに用いられる通信インターフェイス回路である。
【０１０７】
操作部４３は、ユーザーにＰＣ４の各種操作を行わせるために設けられている。具体的には、操作部４３は、図略の液晶ディスプレイ等の表示部、キーボード及びマウス等を備えている。
【０１０８】
制御部４０は、ＣＰＵ、ＲＡＭ、ＲＯＭ及びこれらの周辺回路等を備え、記憶部４５に記憶されている制御プログラムをＣＰＵに実行させることにより、ＰＣ４内の各部の動作制御を行う。
【０１０９】
また、制御部４０は、記憶部４５に記憶されている制御プログラムをＣＰＵに実行させることにより、取得部４０１（端末側取得部）、指示受付部４０２（端末側指示受付部）、注文受付部４０３（端末側注文受付部）として機能する。
【０１１０】
取得部４０１は、複合機３が備える取得部３０１と同様の方法で、コンテンツサーバー１に記憶されているコンテンツデータを取得する。
【０１１１】
つまり、ユーザーによる操作部４３の操作により、コンテンツデータの取得指示が入力されると、取得部４０１は、一覧送信要求情報を通信部４４を用いてコンテンツサーバー１へ送信する。一覧送信要求情報の送信後、通信部４４によってコンテンツ一覧情報が受信されると、取得部４０１は、当該受信されたコンテンツ一覧情報に含まれている、データＩＤとコンテンツＩＤと購入者ＩＤとを対応付けて、操作部４３に備えられた表示部に一覧表示する。以下、操作部４３に備えられた表示部をＰＣ表示部と記載する。
【０１１２】
そして、ユーザーによる操作部４３の操作によって、ＰＣ表示部に表示された何れかのデータＩＤが選択されると、取得部４０１は、当該選択されたデータＩＤを含む送信要求情報を通信部４４を用いてコンテンツサーバー１へ送信する。そして、通信部４４によってコンテンツサーバー１から返信されたコンテンツデータが受信されると、取得部４０１は、当該受信されたコンテンツデータを取得する。
【０１１３】
指示受付部４０２は、取得部４０１により取得されたコンテンツデータに含まれている制限回数を増加するための更新プログラムの購入指示の入力を受け付ける。この場合、指示受付部４０２は、当該受け付けた更新プログラムの購入指示を示す購入指示情報と、当該コンテンツデータに含まれているリンク情報と、を通信部４４を用いて複合機３へ送信する。購入指示情報には、取得部４０１により取得されたコンテンツデータに対応するデータＩＤと、当該コンテンツデータに含まれているコンテンツＩＤと、が含まれる。
【０１１４】
尚、これに合わせて、複合機３の指示受付部３０２は、通信部３４がＰＣ４により送信された購入指示情報とリンク情報とを受信した場合には、転送処理を実行するように構成されている。転送処理とは、当該受信された購入指示情報を当該受信されたリンク情報を用いてプロバイダーサーバー２へ送信する処理である。
【０１１５】
具体的には、指示受付部３０２は、転送処理において、通信部３４により受信されたリンク情報内のＵＲＬが示す印刷回数増加サービスを宛先として、当該リンク情報内の購入者ＩＤ及びパスワードと共に、当該受信された購入指示情報を送信する。
【０１１６】
また、複合機３の注文受付部３０３は、指示受付部３０２が転送処理を実行した場合に、通信部３４がプロバイダーサーバー２の受注部２０１により返信された注文画面情報を受信すると、当該受信された注文画面情報を通信部３４を用いてＰＣ４に返信するように構成されている。
【０１１７】
次に、注文受付部４０３について説明する。指示受付部４０２による購入者ＩＤ、パスワード及び購入指示情報の送信後、通信部４４が複合機３の注文受付部３０３により返信された注文画面情報を受信したとする。
【０１１８】
この場合、注文受付部４０３は、注文画面情報が示す注文画面ＷをＰＣ表示部に表示する。そして、ユーザーによる操作部４３の操作により、注文画面Ｗを用いて注文情報が入力され、注文情報の内容が確定されると、注文受付部４０３は、当該注文情報の入力を受け付ける。そして、注文受付部４０３は、通信部４４を用いて、当該受け付けた注文情報を複合機３に返信する。
【０１１９】
尚、注文受付部４０３が、通信部４４が受信した注文画面情報が示す、図４に示す注文画面ＷをＰＣ表示部に表示したとする。この場合、ＰＣ４には、コインベンダー及びカードベンダーが接続されていないので、注文受付部４０３は、ラジオボタンＲ６、Ｒ７が選択されたとしても、ラジオボタンＲ６、Ｒ７に対応する支払方法「コインベンダー」「カードベンダー」の入力を受け付けず、当該支払方法「コインベンダー」「カードベンダー」の入力を受け付けない旨の警告メッセージをＰＣ表示部に表示する。
【０１２０】
また、複合機３の注文受付部３０３が、指示受付部３０２が転送処理を実行した場合に、プロバイダーサーバー２の受注部２０１により返信された注文画面情報をＰＣ４へ返信した後、通信部３４がＰＣ４により返信された注文情報を受信したとする。
【０１２１】
この場合、注文受付部３０３は、当該受信された注文情報を記憶部３５に記憶した後、通信部３４を用いて、当該受信された注文情報をプロバイダーサーバー２に返信するように構成されている。また、当該注文情報の返信後に、通信部３４が提供部２０２により返信された更新プログラムを受信した場合にも、注文受付部３０３は、記憶部３５に記憶した注文情報を削除するように構成されている。
【０１２２】
以下、ＰＣ４において、コンテンツサーバー１から取得したコンテンツデータを印刷する動作、及び、当該コンテンツデータに含まれている制限回数を増加する動作について、図５乃至図８を用いて説明する。図５は、コンテンツデータを取得する動作を示すフローチャートである。図６は、コンテンツデータを印刷する動作を示すフローチャートである。図７及び図８は、コンテンツデータに含まれている制限回数を増加する動作を示すフローチャートである。
【０１２３】
図５に示すように、ＰＣ４において、ユーザーによる操作部４３の操作により、コンテンツデータの取得指示が入力されると、取得部４０１は、一覧送信要求情報をコンテンツサーバー１へ送信する（Ｓ１）。
【０１２４】
コンテンツサーバー１では、通信部１１により一覧送信要求情報が受信されると、配信部１０１は、記憶部１２に記憶されているデータＩＤの一覧と、各データＩＤに対応付けられたコンテンツデータに含まれるコンテンツＩＤ及び購入者ＩＤと、を対応付けたコンテンツ一覧情報を返信する（Ｓ２）。
【０１２５】
ＰＣ４では、通信部４４によりコンテンツ一覧情報が受信されると、取得部４０１は、当該受信されたコンテンツ一覧情報に含まれている、データＩＤとコンテンツＩＤと購入者ＩＤとを対応付けて、ＰＣ表示部に一覧表示する（Ｓ３）。そして、ユーザーによる操作部４３の操作によって、ＰＣ表示部に表示された何れかのデータＩＤが選択されると（Ｓ４）、取得部４０１は、当該選択されたデータＩＤを含む送信要求情報をコンテンツサーバー１へ送信する（Ｓ５）。
【０１２６】
コンテンツサーバー１では、通信部１１により送信要求情報が受信されると、配信部１０１は、当該受信された送信要求情報に含まれているデータＩＤと対応付けて記憶部１２に記憶されているコンテンツデータを取得し、当該取得したコンテンツデータを返信する（Ｓ６）。
【０１２７】
ＰＣ４では、通信部４４によりコンテンツデータが受信されると、取得部４０１は、当該受信されたコンテンツデータを取得し、当該取得したコンテンツデータに含まれるコンテンツバイナリデータが表すコンテンツをＰＣ表示部に表示する（Ｓ７）。このとき、取得部４０１は、閉じるボタン、印刷設定ボタン、及びコンテンツの閲覧操作に用いる周知の画面部品（スクロールバー等）も合わせてＰＣ表示部に表示する。以下、コンテンツの閲覧操作に用いられる周知の画面部品をスクロール部品と記載する。
【０１２８】
そして、ユーザーは、操作部４３を用いてＰＣ表示部に表示されたスクロール部品を操作することにより、コンテンツサーバー１から取得されたコンテンツデータが表すコンテンツを閲覧する（Ｓ８；閲覧操作）。または、ユーザーは、操作部４３を用いてＰＣ表示部に表示された閉じるボタンを操作することにより、コンテンツの閲覧操作を終了する（Ｓ８；閉じる）。
【０１２９】
一方、ユーザーが、操作部４３を用いてＰＣ表示部に表示された印刷ボタンを押下すると（Ｓ８；印刷）、制御部４０は、ＰＣ表示部に表示されたコンテンツの印刷を行うときに用いる印刷条件（例えば、部数、用紙サイズ、拡大縮小等）の入力操作が可能な印刷設定画面をＰＣ表示部に表示する（Ｓ９）。
【０１３０】
尚、ステップＳ９において表示される印刷設定画面には、ステップＳ７で取得されたコンテンツデータに含まれる制限回数と、印刷条件の入力操作を行うための画面部品（以下、入力部品と記載する）と、追加購入ボタンと、印刷ボタンと、閉じるボタンとが表示される。
【０１３１】
ユーザーが、操作部４３を用いて印刷設定画面に設けられた閉じるボタンを操作した場合（Ｓ１０；閉じる）、制御部４０は、印刷設定画面を非表示にする。その後、ステップＳ８以降の処理が繰り返される。
【０１３２】
一方、ユーザーが、操作部４３を用いて上記入力部品を操作することにより、印刷条件を入力した後、印刷ボタンを操作したとする（Ｓ１０；印刷）。この場合、制御部４０は、当該入力された印刷条件と、ステップＳ７で取得されたコンテンツデータと、当該コンテンツデータに対応するデータＩＤと、を含む印刷指示情報を、通信部４４を用いて複合機３へ送信する（Ｓ１１）。
【０１３３】
複合機３では、図６に示すように、通信部３４により印刷指示情報が受信されると、制御部３０は、当該受信された印刷指示情報に含まれるコンテンツデータを取得し、当該取得したコンテンツデータに含まれるコンテンツバイナリデータを取得する。そして、制御部３０は、画像形成部３１に、当該受信された印刷指示情報に含まれる印刷条件を用いて当該取得したコンテンツバイナリデータが表す画像を用紙に形成する印刷処理を実行させる（Ｓ２１）。
【０１３４】
その後、回数通知部３０５は、画像形成部３１によりコンテンツデータの印刷が行われた回数と、当該コンテンツデータに対応するデータＩＤと、を含む印刷結果情報をコンテンツサーバー１に送信する（Ｓ２２）。
【０１３５】
例えば、印刷指示情報に含まれる印刷条件が２部印刷することを示していた場合、ステップＳ２１において、制御部３０は、画像形成部３１に、コンテンツバイナリデータが表す画像を用紙に形成する印刷処理を二回行わせる。この場合、回数通知部３０５は、ステップＳ２２において、画像形成部３１によりコンテンツデータの印刷が行われた回数「
二回」を含む印刷結果情報送信する。
【０１３６】
コンテンツサーバー１では、通信部１１により印刷結果情報が受信されると、減少部１０２は、当該受信された印刷結果情報に含まれているデータＩＤと対応付けて記憶部１２に記憶されているコンテンツデータを取得する。また、減少部１０２は、当該コンテンツデータに含まれている制限回数を減少させるための回数制限プログラムを記憶部１２から取得する。そして、減少部１０２は、当該取得した回数制限プログラムをＣＰＵに実行させることにより、当該取得したコンテンツデータに含まれている制限回数を、当該受信された印刷結果情報に含まれている回数減少する（Ｓ２３）。
【０１３７】
ステップＳ２３の実行後は、ステップＳ５（図５）が行われる。尚、当該ステップＳ５では、取得部４０１は、ステップＳ４で選択されたデータＩＤと同じデータＩＤを含む送信要求情報を送信する。そして、ステップＳ６以降の処理が繰り返される。
【０１３８】
以下、コンテンツデータに含まれている制限回数を増加させる動作について説明する。図５に示すように、ＰＣ４において、ユーザーが、印刷設定画面に表示されている制限回数が少ないことに気付いた場合等に、操作部４３を用いて、印刷設定画面に設けられた追加購入ボタンを操作したとする（Ｓ１０；追加購入）。
【０１３９】
この場合、図７に示すように、指示受付部４０２は、ステップＳ７において取得部４０１により取得されたコンテンツデータに含まれている制限回数を増加するための更新プログラムの購入指示の入力を受け付ける（Ｓ３１）。この場合、指示受付部４０２は、当該コンテンツデータに対応するデータＩＤと当該コンテンツデータに含まれているコンテンツＩＤとを含む購入指示情報と、当該コンテンツデータに含まれているリンク情報と、を複合機３へ送信する（Ｓ３２）。
【０１４０】
複合機３では、通信部３４により、購入指示情報及びリンク情報が受信されると、指示受付部３０２は、転送処理を実行する（Ｓ３３）。具体的には、指示受付部３０２は、ステップＳ３３の転送処理において、通信部３４により受信されたリンク情報内のＵＲＬが示す印刷回数増加サービスを宛先として、当該受信されたリンク情報内の購入者ＩＤ及びパスワードと共に、当該受信された購入指示情報を送信する。
【０１４１】
プロバイダーサーバー２では、通信部２１により、購入者ＩＤ及びパスワードと購入指示情報とが受信されると、受注部２０１は、当該受信された購入者ＩＤ及びパスワードで識別されるユーザーが、印刷回数増加サービスを利用可能なユーザーであるか否かを認証する（Ｓ３４）。
【０１４２】
受注部２０１は、ステップＳ３４において、受信された購入者ＩＤ及びパスワードで識別されるユーザーが印刷回数増加サービスを利用可能なユーザーであると認証した場合（Ｓ３４；ＹＥＳ）、受信された購入指示情報に含まれるコンテンツＩＤと対応付けて記憶部２２に記憶されている、各更新プログラムの販売価格や購入条件等の情報を取得する（Ｓ３５）。そして、受注部２０１は、ステップＳ３５で取得した各更新プログラムの販売価格や購入条件等の情報を用いて注文画面情報を生成し、当該生成した注文画面情報を複合機３へ返信する（Ｓ３６）。
【０１４３】
複合機３では、ステップＳ３３において転送処理が実行された場合に、通信部３４により注文画面情報が受信されると、注文受付部３０３は、当該受信された注文画面情報をＰＣ４に返信する（Ｓ３７）。
【０１４４】
ＰＣ４では、通信部４４により注文画面情報が受信されると、注文受付部４０３は、当該受信された注文画面情報が示す注文画面ＷをＰＣ表示部に表示する（Ｓ３８）。
【０１４５】
一方、受注部２０１は、ステップＳ３４において、受信された購入者ＩＤ及びパスワードで識別されるユーザーが印刷回数増加サービスを利用可能なユーザーではないと認証した場合、複合機３との通信を遮断する（Ｓ３４；ＮＯ）。
【０１４６】
複合機３では、ステップＳ３３において転送処理が実行された場合に、通信部３４による印刷回数増加サービスとの通信が遮断されると、注文受付部３０３は、印刷回数増加サービスを利用できない旨の警告を示す警告情報をＰＣ４に返信する（Ｓ４０）。
【０１４７】
ＰＣ４では、通信部４４により警告情報が受信されると、注文受付部４０３は、当該受信された警告情報をＰＣ表示部に表示する（Ｓ４１）。その後は、ステップＳ１０（図５）以降の処理が繰り返される。
【０１４８】
ステップＳ３８において、ＰＣ表示部に注文画面Ｗが表示され、ユーザーによる操作部４３の操作により、注文画面Ｗを非表示にし、注文情報の内容をキャンセルする操作が行われた場合（Ｓ３９；キャンセル）、ステップＳ１０（図５）以降の処理が繰り返される。
【０１４９】
ステップＳ３８において、ＰＣ表示部に注文画面Ｗが表示され、ユーザーによる操作部４３の操作により、当該注文画面Ｗを用いて注文情報が入力され（Ｓ３９；注文情報入力操作）、注文情報の内容を確定する操作が行われたとする（Ｓ３９；確定）。
【０１５０】
この場合、図８に示すように、注文受付部４０３は、当該注文情報の入力を受け付け、当該受け付けた注文情報を複合機３に返信する（Ｓ５１）。
【０１５１】
複合機３では、ステップＳ３３（図７）において転送処理が実行され、ステップＳ３７（図７）において注文画面情報がＰＣ４へ返信された後、通信部３４により、ＰＣ４により返信された注文情報が受信されると、注文受付部３０３は、当該受信された注文情報を記憶部３５に記憶する（Ｓ５２）。そして、注文受付部３０３は、当該受信された注文情報をプロバイダーサーバー２に返信する（Ｓ５３）。
【０１５２】
プロバイダーサーバー２では、ステップＳ３６（図７）において注文画面情報の返信後、通信部２１により、複合機３から返信された注文情報が受信されると、提供部２０２は、当該受信された注文情報を用いて、当該受信された注文情報に含まれる購入対象の更新プログラムの所定の購入処理を実行する（Ｓ５４）。そして、提供部２０２は、当該購入処理の実行後、当該更新プログラムを複合機３に返信する（Ｓ５５）。
【０１５３】
複合機３では、ステップＳ５３における注文受付部３０３による注文情報の返信後、通信部３４により、提供部２０２により返信された更新プログラムが受信されると、増加部３０４は、ステップＳ３３で指示受付部３０２が用いた購入指示情報に含まれるデータＩＤと同じデータＩＤを含む送信要求情報を、コンテンツサーバー１へ送信する（Ｓ５６）。
【０１５４】
コンテンツサーバー１では、通信部１１により、送信要求情報が受信されると、配信部１０１は、送信要求情報に含まれるデータＩＤと対応付けて記憶部１２に記憶されているコンテンツデータを取得し、当該取得したコンテンツデータを返信する（Ｓ５７）。
【０１５５】
複合機３では、通信部３４により、記憶部１２に記憶されている当該データＩＤに対応するコンテンツデータが受信されると、増加部３０４は、ステップＳ５６で受信された更新プログラムを実行することにより（Ｓ５８）、当該受信したコンテンツデータに含まれている制限回数を、当該更新プログラムに応じた所定回数増加する（Ｓ５９）。そして、増加部３０４は、当該制限回数を増加した後のコンテンツデータとデータＩＤとを含む更新要求情報をコンテンツサーバー１へ送信する（Ｓ６０）。
【０１５６】
コンテンツサーバー１では、通信部１１により、更新要求情報が受信されると、更新部１０３は、当該更新要求情報に含まれているデータＩＤと対応付けて記憶部１２に記憶されているコンテンツデータを、当該更新要求情報に含まれている、制限回数を増加した後のコンテンツデータによって更新する（Ｓ６１）。
【０１５７】
そして、注文受付部３０３は、ステップＳ５２で記憶部３５に記憶した注文情報に、支払方法「クレジットカード」の三個の付加情報「カード番号」、「カード名義人」、「有効期限」が含まれている場合は、当該三個の付加情報「カード番号」、「カード名義人」、「有効期限」を削除する（Ｓ６２）。
【０１５８】
ステップＳ６１の実行後は、ステップＳ５（図５）が行われる。尚、当該ステップＳ５では、取得部４０１は、ステップＳ４で選択されたデータＩＤと同じデータＩＤを含む送信要求情報を送信する。そして、ステップＳ６以降の処理が繰り返される。
【０１５９】
以下では、複合機３において、コンテンツサーバー１からコンテンツデータを取得し、当該取得したコンテンツデータを印刷する動作、及び、当該コンテンツデータに含まれている制限回数を増加する動作について、図５乃至図８に示す動作と異なる動作についてのみ説明する。
【０１６０】
ステップＳ１（図５）では、複合機３において、ユーザーによる操作部３３の操作により、コンテンツデータの取得指示が入力されると、取得部３０１は、一覧送信要求情報をコンテンツサーバー１へ送信する。
【０１６１】
ステップＳ３では、複合機３において、通信部３４によりコンテンツ一覧情報が受信されると、取得部３０１は、受信したコンテンツ一覧情報に含まれるデータＩＤ、コンテンツＩＤ及び購入者ＩＤとを対応付けて表示部に一覧表示する。
【０１６２】
そして、ステップＳ４において、ユーザーによる操作部３３の操作によって表示部に表示された何れかのデータＩＤが選択されると、ステップＳ５において、取得部３０１は、当該選択されたデータＩＤを含む送信要求情報をコンテンツサーバー１へ送信する。
【０１６３】
ステップＳ７では、通信部３４によりコンテンツデータが受信されると、取得部３０１は、当該受信されたコンテンツデータを取得し、当該取得したコンテンツデータに含まれるコンテンツバイナリデータが表すコンテンツ、閉じるボタン、印刷設定ボタン、スクロール部品を表示部に表示する。
【０１６４】
ステップＳ８では、ユーザーは、操作部３３を用いて表示部に表示されたスクロール部品を操作することにより、コンテンツサーバー１から取得されたコンテンツデータが表すコンテンツを閲覧する。または、ユーザーは、操作部３３を用いてＰＣ表示部に表示された閉じるボタンを操作することにより、コンテンツの閲覧操作を終了する。
【０１６５】
一方、ユーザーが、操作部３３を用いてＰＣ表示部に表示された印刷ボタンを押下すると（Ｓ８；印刷）、ステップＳ９において、制御部３０は、印刷設定画面を表示部に表示する。
【０１６６】
ステップＳ１０では、ユーザーが、操作部３３を用いて印刷設定画面に設けられた閉じるボタンを操作した場合（Ｓ１０；閉じる）、制御部３０は、印刷設定画面を非表示にする。
【０１６７】
ユーザーが操作部３３を用いて印刷条件を入力した後、印刷ボタンを操作した場合は（Ｓ１０；印刷）、ステップＳ１１が省略され、ステップＳ２１（図６）において、制御部３０は、ステップＳ７で取得されたコンテンツデータに含まれるコンテンツバイナリデータを取得する。そして、制御部３０は、画像形成部３１に、ステップＳ１０で入力された印刷条件を用いて、当該取得したコンテンツバイナリデータが表す画像を用紙に形成する印刷処理を実行させる。
【０１６８】
また、ユーザーが操作部３３を用いて印刷設定画面に設けられた追加購入ボタンを操作した場合（Ｓ１０；追加購入）、ステップＳ３１（図７）において、指示受付部３０２は、ステップＳ７において取得部３０１により取得されたコンテンツデータに含まれている制限回数を増加するための更新プログラムの購入指示の入力を受け付ける。
【０１６９】
次のステップＳ３２では、指示受付部３０２は、当該コンテンツデータに対応するデータＩＤと当該コンテンツデータに含まれるコンテンツＩＤとを含む購入指示情報を、当該コンテンツデータに含まれているリンク情報内のＵＲＬが示す印刷回数増加サービスを宛先として、当該リンク情報内の購入者ＩＤ及びパスワードと共に送信し、ステップＳ３３の転送処理を実行しない。
【０１７０】
また、ステップＳ３６において注文情報が複合機３に返信された場合、ステップＳ３７が省略され、ステップＳ３８において、注文受付部３０３は、通信部３４により受信された注文画面情報が示す注文画面Ｗを表示部に表示する。
【０１７１】
一方、ステップＳ３４において複合機３とプロバイダーサーバー２との通信が遮断された場合、ステップＳ４０が省略され、ステップＳ４１において、注文受付部３０３は、印刷回数増加サービスを利用できない旨の警告を示す警告情報を表示部に表示する。
【０１７２】
ステップＳ３９では、ユーザーによる操作部３３の操作により、注文画面Ｗを非表示にし、注文情報の内容をキャンセルする操作、注文情報を入力する操作、注文情報の内容を確定する操作が行われる。
【０１７３】
ステップＳ５１、Ｓ５２（図８）では、注文受付部３０３は、注文情報の入力を受け付けると（Ｓ５１）、当該受け付けた注文情報を記憶部３５に記憶する（Ｓ５２）。
【０１７４】
ステップＳ５６では、通信部３４により、提供部２０２により返信された更新プログラムが受信されると、増加部３０４は、ステップＳ３２で指示受付部３０２が用いた購入指示情報に含まれるデータＩＤと同じデータＩＤを含む送信要求情報を、コンテンツサーバー１へ送信する。
【０１７５】
このように、上記実施形態の構成によれば、ユーザーは、複合機３又はＰＣ４において、コンテンツサーバー１に記憶されているコンテンツデータを取得する操作を行った後、当該コンテンツデータに含まれている制限回数を増加するための更新プログラムの購入指示を入力する操作を行うだけで、その後何ら操作しなくても、プロバイダーサーバー２から返信された注文画面情報が示す注文画面Ｗを用いて、当該更新プログラムの購入に必要な注文情報を入力する操作を行うことができる。
【０１７６】
また、ユーザーは、上記注文画面Ｗを用いて注文情報を入力する操作を行うだけで、その後何ら操作しなくても、プロバイダーサーバー２から上記更新プログラムを購入することができ、且つ、増加部３０４に、当該購入した更新プログラムを用いてコンテンツサーバー１に記憶されている、上記取得したコンテンツデータと同じコンテンツデータに含まれる制限回数を増加させることができる。
【０１７７】
従来、ユーザーは、コンテンツサーバーに記憶されている、印刷可能な回数が制限されているコンテンツデータについて、当該コンテンツデータの印刷可能な回数を増加するためには、当該コンテンツデータの提供元のコンテンツプロバイダーから、印刷可能な回数が当該コンテンツデータよりも大きい、当該コンテンツデータと同じコンテンツデータを再購入するための所定の購入手続きを行った後、更に、当該再購入したコンテンツデータをコンテンツサーバーに記憶し直すという手間をかけなければならなかった。
【０１７８】
しかし、本実施形態の構成によれば、上述のように、ユーザーは、複合機３又はＰＣ４において、更新プログラムの購入指示を入力する操作と注文情報を入力する操作と、を行うだけで、コンテンツサーバーに記憶されているコンテンツデータの印刷可能な回数を増加することができる。このように、本実施形態の構成によれば、従来に比して、印刷可能な回数が制限されているコンテンツデータについて、当該コンテンツデータの印刷可能な回数を増加するために要する手間を軽減することができる。
【０１７９】
また、上記実施形態の構成によれば、コンテンツデータに含まれている制限回数を、画像形成部３１によって当該コンテンツデータの印刷が行われた回数減少することができる。これにより、コンテンツデータが不用意に印刷される虞を軽減することができる。
【０１８０】
また、上記実施形態の構成によれば、更新プログラムが複合機３に返信され、購入プログラムの購入のために必要であった「クレジットカード」の付加情報「カード番号」、「カード名義人」、「有効期限」が不要になった後、当該付加情報が記憶部３５に残存する虞を軽減することができる。これにより、当該付加情報が漏洩するリスクを軽減することができる。
【０１８１】
尚、上記実施形態は、本発明に係る実施形態の例示に過ぎず、本発明を上記実施形態に限定する趣旨ではない。例えば、以下に示す、変形実施形態であってもよい。
【０１８２】
（１）配信データ管理システム９が二台以上のプロバイダーサーバー２を備えるようにしてもよい。
【０１８３】
（２）注文受付部３０３が、ステップＳ５２、Ｓ６２（図８）を行わないように簡素化してもよい。
【０１８４】
（３）制御部３０が回数通知部３０５として機能しないようにし、これに合わせて、制御部１０が、減少部１０２として機能しないようにしてもよい。
【０１８５】
（４）配信データ管理システム９がＰＣ４を備えないようにしてもよい。
【０１８６】
（５）コンテンツサーバー１にネットワーク９０を介してアクセス可能な所謂共有フォルダーを設け、当該共有フォルダーにコンテンツデータを示す電子ファイルを記憶するようにしてもよい。そして、当該電子ファイルのファイル名をデータＩＤと同じファイル名とすることで、データＩＤとコンテンツデータとを対応付けるようにしてもよい。
【０１８７】
これに合わせて、コンテンツサーバー１の制御部１０が、配信部１０１及び更新部１０３として機能しないようにしてもよい。これに合わせて、取得部３０１、増加部３０４、及び取得部４０１が、配信部１０１を介さずに、コンテンツサーバー１に設けた当該共有フォルダーにアクセスし、当該共有フォルダーに記憶されている所望のデータＩＤと同じファイル名のコンテンツデータを示す電子ファイルを取得することにより、当該データＩＤに対応するコンテンツデータを取得するようにしてもよい。
【０１８８】
また、増加部３０４が、更新部１０３を介さずに、コンテンツサーバー１に設けた当該共有フォルダーにアクセスし、当該共有フォルダーに記憶されている所望のデータＩＤと同じファイル名のコンテンツデータを示す電子ファイルを更新するようにしてもよい。
【０１８９】
（６）リンク情報に購入者ＩＤ及びパスワードを含めず、受注部２０１がステップＳ３４（図７）における認証を行わないように簡素化してもよい。
【０１９０】
（７）増加部３０４が更新プログラムを実行することに代えて、コンテンツサーバー１が当該更新プログラムを実行するように構成してもよい。
【０１９１】
つまり、ステップＳ５６〜Ｓ６１（図７）に代えて、増加部３０４が、ステップＳ５５で返信された更新プログラムと、データＩＤとを含む更新要求情報をコンテンツサーバー１へ送信するようにしてもよい。そして、通信部１１によって当該更新要求情報が受信された場合に、更新部１０３が、当該受信された更新要求情報に含まれる更新プログラムを実行することによって、記憶部１２に記憶されている当該受信されたデータＩＤに対応するコンテンツデータに含まれている制限回数を所定回数増加するようにしてもよい。
【０１９２】
（８）注文画面情報は、ＨＴＭＬ形式の文字列情報に限らず、ＰＣ４及び複合機３に設けられた表示部に表示可能であり、且つ、操作部３３及び操作部４３により操作可能な画面を表すことが可能な情報であればよい。
【０１９３】
（９）複合機３に、コインベンダー５及び／又はカードベンダー６が接続されないようにしてもよい。或いは、ＰＣ４に、コインベンダー及び／又はカードベンダーを接続するようにし、注文受付部４０３が、支払方法「コインベンダー」及び／又は支払方法「カードベンダー」の入力を受け付けるようにしてもよい。
【符号の説明】
【０１９４】
１  コンテンツサーバー（管理サーバー）
１０２  減少部
２  プロバイダーサーバー（提供サーバー）
２０１  受注部
２０２  提供部
３  複合機（画像形成装置）
３１  画像形成部（印刷部）
３５  記憶部
３０１  取得部
３０２  指示受付部
３０３  注文受付部
３０４  増加部
３０５  回数通知部
４  パーソナルコンピューター（端末装置）
４０  制御部
４３  操作部
４４  通信部
４５  記憶部
４０１  取得部（端末側取得部）
４０２  指示受付部（端末側指示受付部）
４０３  注文受付部（端末側注文受付部）
９  配信データ管理システム
Ｗ  注文画面
【図１】
0006287873.tif 000002
【図２】
0006287873.tif 000003
【図３】
0006287873.tif 000004
【図４】
0006287873.tif 000005
【図５】
0006287873.tif 000006
【図６】
0006287873.tif 000007
【図７】
0006287873.tif 000008
【図８】
0006287873.tif 000009